(57)【要約】【課題】可動機械構成要素（１０）と固定基礎（２２）との間の接合面に使用するための支持装置を提供する。【解決手段】本支持装置は、基礎に取付けられるようになったほぼ平らな基礎プレート（１８）と、基礎プレートに固定された複数のスライド用プレート組立体（１６）とを含み、各スライド用プレート組立体は、支持プレート（４２）と、受けプレート（４６）と、該受けプレートの上に位置する低摩擦パッド（４８）とを含み、複数のスライド用プレート組立体は、可動機械構成要素のフートプレート（１４）と係合するようになっている。【選択図】      図３
2006138318.tif 000002
【特許請求の範囲】
【請求項１】
可動機械構成要素（１０）と固定基礎（２２）との間の接合面に使用するための支持装置であって、
前記基礎に取付けられるようになったほぼ平らな基礎プレート（１８）と、
前記基礎プレートに固定された複数のスライド用プレート組立体（１６）と、を含み、
各スライド用プレート組立体が、支持プレート（４２）と、受けプレート（４６）と、前記受けプレートの上に位置する低摩擦パッド（４８）とを含み、
前記複数のスライド用プレート組立体が、前記可動機械構成要素のフートプレート（１４）と係合するようになっている、支持装置。
【請求項２】
前記低摩擦パッド（４８）がポリ四フッ化エチレンを含む、請求項１記載の支持装置。
【請求項３】
前記基礎プレート（１８）には、前記機械構成要素（１０）のフートプレート（１４）上の対応するキー溝（２８）と協働して熱膨張時に該機械構成要素を案内するようになった少なくとも１つの細長いキー（２４）が設けられている、請求項１記載の支持装置。
【請求項４】
前記基礎プレート（１８）には、前記機械構成要素のフートプレートに作動可能に取付けられるようになった複数の上向きに突出するアンカボルトが設けられている、請求項３記載の支持装置。
【請求項５】
前記低摩擦パッド（４８）が、ポリ四フッ化エチレンを含む、請求項４記載の支持装置。
【請求項６】
前記支持プレート（４２）には、部分球面座（４４）が設けられ、前記受けプレート（４６）が、前記部分球面座の上に位置しかつ該部分球面座に確保されている、請求項１記載の支持装置。
【請求項７】
蒸気タービン用の排気フード及び基礎組立体であって、
ほぼ平らなフートプレート（１４）が設けられた排気フード構成要素（１０）と、
固定基礎（２２）に固定された基礎プレート（１８）と、を含み、
前記基礎プレートが、その上に前記平らなフートプレートと接合するための複数の多層スライド用プレート組立体（１６）を有する、排気フード及び基礎組立体。
【請求項８】
各スライド用プレート組立体（１６）が、支持プレート（４２）と、受けプレート（４６）と、前記受けプレートの上に位置する低摩擦パッド（４８）とを含む、請求項７記載の排気フード及び基礎組立体。
【請求項９】
前記低摩擦パッド（４８）が、ポリ四フッ化エチレンを含む、請求項８記載の排気フード及び基礎組立体。
【請求項１０】
前記基礎プレート（１８）には、前記排気フード構成要素のフートプレート上の対応するキー溝（２８）と協働して蒸気タービンの熱膨張時に該排気フード構成要素を案内するようになった少なくとも１つの細長いキー（２４）が設けられている、請求項８記載の排気フード及び基礎組立体。
【発明の詳細な説明】
【技術分野】
【０００１】
本発明は、最小摩擦で２つの面間の相対的移動を可能にするスライド用プレートに関し、具体的には、大型の回転機械構成要素と固定基礎との間の接合面に使用するスライド用プレートに関する。
【背景技術】
【０００２】
蒸気タービンのような大型の回転機械においては、関連する排気フードは、蒸気タービンの熱膨張により軸方向に移動することが可能でなければならない。一般的な排気フードの熱膨張は、約１／４インチのオーダであるが、大型の機械では、１．２５インチほども移動する場合がある。排気フードは、タービン軸受の１つと該排気フードのたわみに敏感な低圧ロータとを支持する。その結果、スライド接合は、軸受剛性にマイナスの影響を与えてはならず、またスライド範囲全体にわたって高さが変化してはならない。
【０００３】
最近のスライド用プレート技術は、グリース塗布した金属プレートと「フレックス・レッグ」と呼ばれる可撓性の垂直プレートとの使用を含む。しかしながら、このような方法では、重量、摩擦係数及び／又は大きな変位に起因する大きな力がタービン構成要素に加わる。
【発明の開示】
【発明が解決しようとする課題】
【０００４】
本発明は、自動調心低摩擦パッドを組み込んだスライド用プレート組立体を使用することによって、上記の問題を解決する。より具体的には、複数のスライド用プレート組立体の各々は、球面座が形成された支持プレートと、球面座の上に位置する受けプレートと、低摩擦下部スライド要素すなわちパッドとを含む。これらのスライド用プレート組立体は、排気フードケーシングからの全垂直方向荷重を基礎に伝達する。
【課題を解決するための手段】
【０００５】
例示的な実施形態では、スライド用プレート組立体基礎プレートは、固定基礎に設けたポケット内に固定される（例えば、グラウトで固められる）。このプレートは、１つ又はそれ以上の軸方向に整列したキーを受けるためのスロットを含む。キーは、排気フード・フートプレート内の１つ又はそれ以上の整列したスロットと協働し、熱膨張時に排気フードを案内し、またケーシングからの横方向荷重を基礎に伝達するように働く。さらに、それぞれ基礎プレート及びフード・フートプレート内に貫通孔及びスロットを設けて、アンカボルト及びワッシャにより、排気フードの持ち上がりを抑制しながら同時に軸方向移動を許すのを可能にする。外周又は周囲シールド機構を使用して、フード・フートプレートと基礎プレートとの間の空所内にごみ及び／又はデブリ並びに水分が侵入するのを防止することができる。
【０００６】
排気フード・フートプレートの下面に複数のステンレス鋼製上部スライド要素を取付けて、スライド用プレートの低摩擦パッドと直接相互作用するようにすることができる。例示的な実施形態では、低摩擦パッドは、ポリ四フッ化エチレン（好ましくはＴｅｆｌｏｎ（登録商標））で製作される。
【０００７】
従って、そのより広い態様では、本発明は、可動機械構成要素と固定基礎との間の接合面に使用するための支持装置に関し、本支持装置は、基礎に取付けられるようになったほぼ平らな基礎プレートと、基礎プレートに固定された複数のスライド用プレート組立体とを含み、各スライド用プレート組立体は、支持プレートと、受けプレートと、該受けプレートの上に位置する低摩擦パッドとを含み、複数のスライド用プレート組立体は、可動機械構成要素のフートプレートと係合するようになっている。
【０００８】
別の態様では、本発明は、可動機械構成要素と固定基礎との間の接合面に使用するための支持装置に関し、本支持装置は、基礎に取付けられるようになったほぼ平らな基礎プレートと、基礎プレートに固定された複数のスライド用プレート組立体とを含み、各パッド組立体は、支持プレートと、該支持プレートに確保された受けプレートと、該受けプレートの上に位置する低摩擦パッドとを含み、低摩擦パッドは、ポリ四フッ化エチレンを含み、支持プレートには、低摩擦パッド及び受けプレートとの間に設置された部分球面座が設けられる。
【０００９】
別の態様では、本発明は、蒸気タービン用の排気フード及び基礎組立体に関し、本排気フード及び基礎組立体は、ほぼ平らなフートプレートが設けられた排気フード構成要素と、固定基礎に固定された基礎プレートとを含み、基礎プレートは、その上に平らなフートプレートと接合するための複数の多層スライド用プレート組立体を有する。
【００１０】
さらに別の態様では、本発明は、蒸気タービン用の排気フード及び基礎組立体に関し、本排気フード及び基礎組立体は、ほぼ平らなフートプレートが設けられた排気フード構成要素と、固定基礎に固定された基礎プレートとを含み、基礎プレートは、その上に平らなフートプレートと接合するための複数の多層低摩擦パッド組立体を有し、各多層低摩擦パッド組立体は、支持プレートと、該支持プレートに確保された受けプレートと、該受けプレートの上に位置する低摩擦パッドとを含み、低摩擦パッドは、ポリ四フッ化エチレンを含み、支持プレートには、部分球面座が設けられ、受けプレートは、部分球面座の上に位置する。
【００１１】
次に、後で特定する図面と関連させて、本発明を詳細に説明する。
【発明を実施するための最良の形態】
【００１２】
最初に図１及び図２を参照すると、蒸気タービン（図示せず）用の排気フード１０は、ほぼ円筒形のケーシング１２を含み、このケーシング１２に対して、比較的平坦な（すなわち、ほぼ平らな）フートプレート１４がボルト又は同様のものによって固定取付けされる。次に図２も参照すると、フートプレート１４は、基礎プレート１８上に取付けられた複数の低摩擦スライド用プレート組立体と相互作用するように設計されており、基礎プレート１８は、安定しかつ固定した基礎（典型的にはコンクリート）２２のポケット又は凹部２０内にグラウトで固められ、従って該ポケット又は凹部２０内部に剛体固定されている。
【００１３】
基礎プレート１８はまた、その寸法が排気フード・フートプレート１４とほぼ同じ大きさであるほぼ平坦な、すなわちほぼ平らな部材である。図３で最もよく分かるように、基礎プレート１８には、その各々が基礎プレート１８のそれぞれの端縁３２、３４に接した対応する溝２８、３０に嵌合した１対の中央に設置されかつ軸方向に延びる細長いキー２４、２６が設けられる。これらのキー２４、２６は、フートプレート１４の下面に形成された対応する溝又はスロット３６（図２に１つ示す）内に嵌合するようになっている。
【００１４】
スライド用プレート組立体１６は、基礎プレート１８の側端縁３８、４０に沿って、間隔を置いた位置に設置される。複数のスライド用プレート組立体１６は、同一であり、その各々は、基礎プレート１８の上面に固定された平坦な支持プレート４２を含む。支持プレートには、該支持プレート４２上で中心に位置した部分球面座４４（図４）が設けられる。受けプレート４６は、部分球面座４４の上に位置し、受けプレート４６の下面は部分球面座と嵌り合うような形状になっている。受けプレート４６の上に位置して、ポリ四フッ化エチレン（好ましくはＴｅｆｌｏｎ（登録商標））で構成することができる低摩擦パッド４８が設けられる。平坦なプレート５０は、低摩擦パッド４８の２つの上に位置するものとして示しているが、プレート５０は、フートプレート１４の下面に取付けられることを理解されたい。図３では、プレート５０が低摩擦パッド４８を介してスライド用プレート組立体１６と整列しかつ該スライド用プレート組立体１６に直接係合する状態を説明するために、プレート５０を図示している。
【００１５】
図２で最もよく分かるように、複数のボルト又は他の適当なファスナ５２が、基礎プレート１８を貫通して延び、かつオーバサイズのワッシャ５６及びナット（図示せず）を介して、排気フード・フートプレート１４の細長い開口部５４内にゆるく固定される。この構成により、排気フード１０が基礎プレート１８から持ち上がることが防止されるが、同時に排気フード１０及びフートプレート１４が図３のキー２２、２４上の矢印によって示した長手方向に最小の摩擦で熱膨張することが可能になる。
【００１６】
本発明を現在最も実用的かつ好ましい実施形態であると考えられるものに関して説明してきたが、本発明は、開示した実施形態に限定されるのではなく、反対に、特許請求の範囲の技術思想及び技術的範囲内に含まれる様々な変更及び均等な構成を保護しようとするものであることを理解されたい。
【図面の簡単な説明】
【００１７】
【図１】本発明の例示的な実施形態による、自動調心低摩擦スライド用プレート組立体を備えた基礎プレート上に支持した典型的な排気フードの斜視図。
【図２】図1から取った拡大詳細図。
【図３】本発明の例示的な実施形態による、低摩擦パッドを組み込んだ図１及び図２に部分的に示した基礎プレートの斜視図。
【図４】図１〜図３で使用した形式の低摩擦パッドを示す部分断面斜視図。
【符号の説明】
【００１８】
１０  排気フード
１２  ケーシング
１４  フートプレート
１６  スライド用プレート組立体
１８  基礎プレート
２２  固定基礎
２４、２６  細長いキー
４２  支持プレート
４４  部分球面座
４６  受けプレート
４８  低摩擦パッド
５２  ボルト
５４  細長い開口部
５６  ワッシャ
【図１】
2006138318.tif 000003
【図２】
2006138318.tif 000004
【図３】
2006138318.tif 000005
【図４】
2006138318.tif 000006